(57)【要約】      （修正有）【課題】エアードライブまたは電動衝撃回転工具の使い道を増加することが可能であるエアードライブまたは電動衝撃回転工具のチャックを提供する。【解決手段】同じ軸心線に位置しかつ円柱形を呈する第一部１０及び第二部２０を備えている。第一部１０は、第一端面と、第一端面において正方形の開口部を形成し第一部１０と軸心線を同じくする連結孔とを有し、連接孔によりエアードライブまたは電動衝撃回転工具の方形の柱を呈する送出端を連接することが可能である。第二部２０は第二端面とねじ孔２２とねじ山２３とを有し、第二端面の向きが第一端面の向きと反対である。ねじ孔２２の軸心線と連接孔の軸心線とが同じであり、ねじ孔２２が第二端面において開口部２２１を有し、ねじ山２３が第二部２０の外周面に位置付けられ、その螺旋方向がねじ孔２２内の螺旋方向と反対であり、工具カラーを連接することが可能である。【選択図】図１
0003110115.tif 000002
【実用新案登録請求の範囲】
【請求項１】
同じ軸心線に位置しかつ円柱形を呈する第一部及び第二部を備え、
第一部は、外径が第二部より大きく、第一端面と正方形の連接孔とを有し、連接孔の軸心線と第一部の軸心線とが同じであり、連接孔が第一端面において正方形の開口部を有し、連接孔によりエアードライブまたは電動衝撃回転工具の方形の柱を呈する送出端を連接することが可能であり、
第二部は、第二端面とねじ孔とねじ山とを有し、第二端面の向きが第一端面の向きと反対であり、ねじ孔の軸心線と連接孔の軸心線とが同じであり、ねじ孔が第二端面において開口部を有し、ねじ山が第二部の外周面に位置付けられ、かつその螺旋方向がねじ孔内の螺旋方向と反対であり、工具カラーを連接することが可能であることを特徴とするエアードライブまたは電動衝撃回転工具のチャック。
【請求項２】
第一部は、連接孔の向かい合う壁から第一部の外周壁を貫通する固定孔を二つ有し、エアードライブまたは電動衝撃回転工具の方形の柱を呈する送出端と連接孔とを嵌合する場合、送出端における弾性固定ピンを差し込むことが可能であることを特徴とする請求項１に記載のエアードライブまたは電動衝撃回転工具のチャック。
【考案の詳細な説明】
【技術分野】
【０００１】
本考案は、エアードライブまたは電動衝撃回転工具（Impact Rotary Tool）のチャックに関し、特に工具カラーを連接可能であるエアードライブまたは電動衝撃回転工具のチャックに関するものである。
【背景技術】
【０００２】
一般のエアードライブまたは電動衝撃回転工具を使用するには、チャックを使用する必要がある。チャックは正方形の孔と多辺形の孔とを有し、その二つの孔はチャックの向かい合う端面に正方形の開口部と多辺形の開口部とを有することで、エアードライブまたは電動衝撃回転工具の方形の送出端、およびボルトのヘッド部を連接することが可能である。これにより、エアードライブまたは電動衝撃回転工具の送出端を正方形の孔、ボルトのヘッド部をチャックの多辺形の孔に差し込めば、チャックを媒介物として電動衝撃回転工具の回転動力をボルトへ伝動することが可能である。
上述のエアードライブまたは電動衝撃回転工具は送出端が正方形の柱であるため、上述のチャックなど連接工具と組み合わせないとほかの使い道がない。したがって、エアードライブまたは電動衝撃回転工具に対し、いかに新しい使い道のためのチャックを開発するかということが、かなり業者を悩ませている。
【考案の開示】
【考案が解決しようとする課題】
【０００３】
本考案の主な目的は、エアードライブまたは電動衝撃回転工具と工具カラーとを連接してエアードライブまたは電動衝撃回転工具の回転動力を工具カラーへ伝動し、工具カラーにより孔開けビットなどの工具を回転させることで、エアードライブまたは電動衝撃回転工具の使い道を増加することが可能であるエアードライブまたは電動衝撃回転工具のチャックを提供することにある。
【課題を解決するための手段】
【０００４】
上述の目的を達成するために、本考案によるエアードライブまたは電動衝撃回転工具のチャックは、同じ軸心線に位置しかつ円柱形を呈する第一部及び第二部を備え、第一部の外径が第二部より大きい。そのうちの第一部は第一端面と正方形の連接孔とを有し、連接孔の軸心線と第一部の軸心線とが同じで、かつ連接孔が第一端面において正方形の開口部を有することで、連接孔によりエアードライブまたは電動衝撃回転工具の方形の柱を呈する送出端を連接することが可能である。第二部は第二端面とねじ孔とねじ山とを有し、第二端面の向きが第一端面の向きと反対で、ねじ孔の軸心線と連接孔の軸心線とが同じで、ねじ孔が第二端面において開口部を有し、ねじ山が第二部の外周面に位置付けられ、かつその螺旋方向がねじ孔内の螺旋方向と反対であることで、工具カラーを連接することが可能である。
【考案を実施するための最良の形態】
【０００５】
以下、本考案の一実施例によるエアードライブまたは電動衝撃回転工具のチャックを図面に基づいて説明する。図１は本考案の一実施例によるチャックの外観を示す模式図である。図２は本考案の一実施例によるチャックの正面図である。図３と図４は本考案の一実施例によるチャックの側面図である。図５は図３の５−５線に沿う断面図である。図６と図７は本考案の一実施例によるチャックの使用状態を示す模式図である。
【０００６】
図１から図５に示すように、本考案の一実施例によるエアードライブまたは電動衝撃回転工具のチャック１は、同じ軸心線に位置しかつ円柱形を呈する第一部１０と第二部２０とを備え、第一部１０の外径が第二部２０より大きい。
第一部１０は、第一端面１１と正方形の連接孔１２とを有し、連接孔１２の軸心線と第一部１０の軸心線とが同じで、かつ連接孔１２が第一端面１１において正方形の開口部１２１を有することで、連接孔１２によりエアードライブまたは電動衝撃回転工具の方形の柱を呈する送出端を連接することが可能である。また第一部１０は、連接孔１２の向かい合う壁から第一部１０の外周壁を貫通する固定孔１３を二つ有することで、エアードライブまたは電動衝撃回転工具の方形の柱を呈する送出端と連接孔を嵌合する場合、送出端における弾性固定ピンを差し込むことが可能である。
【０００７】
第二部２０は、第二端面２１とねじ孔２２とねじ山２３とを有し、第二端面２１の向きは第一端面１１の向きと反対で、ねじ孔２２の軸心線と連接孔１２の軸心線とが同じで、ねじ孔が第二端面２１において開口部２２１を有し、ねじ山２３が第一部２０の外周面に位置付けられ、かつその螺旋方向がねじ孔内２２の螺旋方向と反対である。これにより、第二部２０により工具カラーを連接することが可能である。
【０００８】
図６に示すように、上述のチャック１により周知の工具カラー２、例えば孔開けビット用のカラーを連接することが可能である。チャック１の第二部２０のねじ山２３は一般の工具カラー２のねじ孔３０中に締められ、ボルト４０は工具カラー２の前端から穿孔３１を貫通しカラー２の中まで差し込まれ、かつチャック１のねじ孔２２中に締められることで、チャック１と工具カラー２との組み立てを完成させる。
【０００９】
図６と図７に示すように、チャック１と工具カラー２とを組み立てた後、チャック１によりエアードライブまたは電動衝撃回転工具３の送出端５０を連接する。即ち、チャック１の連接孔１２と衝撃回転工具３の方形の送出端５０とを嵌合し、送出端５０における弾性固定ピン５１をチャック１の固定孔１３中に差し込むと、チャック１と衝撃回転工具３の組み立てが完成する。これにより、使用者は工具カラー２により工具、例えば孔開けビットをはさみ、衝撃回転工具３の回転動力を孔開けビットへ伝動することが可能であり、かつ衝撃回転工具３の使い道を増加させる。
【図面の簡単な説明】
【００１０】
【図１】本考案の一実施例によるエアードライブまたは電動衝撃回転工具のチャックの外観を示す模式図である。
【図２】本考案の一実施例によるエアードライブまたは電動衝撃回転工具のチャックの正面図である。
【図３】本考案の一実施例によるエアードライブまたは電動衝撃回転工具のチャックの側面図である。
【図４】本考案の一実施例によるエアードライブまたは電動衝撃回転工具のチャック側面図である。
【図５】図３の５−５線に沿う断面図である。
【図６】本考案の一実施例によるエアードライブまたは電動衝撃回転工具のチャックの使用状態を示す模式図である。
【図７】本考案の一実施例によるエアードライブまたは電動衝撃回転工具のチャックの使用状態を示す模式図である。
【符号の説明】
【００１１】
１  エアードライブまたは電動衝撃回転工具のチャック、２  工具カラー、１０  第一部、１１  第一端面、１２  連接孔、１２１  開口部、１３  固定孔、２０  第二部、２１  第二端面、２２  ねじ孔、２２１  開口部、２３  ねじ山、３０  ねじ孔、３１  穿孔、４０  ボルト、３  エアードライブまたは電動衝撃回転工具、５０  送出端、５１  弾性固定ピン
【図１】
0003110115.tif 000003
【図２】
0003110115.tif 000004
【図３】
0003110115.tif 000005
【図４】
0003110115.tif 000006
【図５】
0003110115.tif 000007
【図６】
0003110115.tif 000008
【図７】
0003110115.tif 000009